(57)【要約】【課題】患者の口腔内における人工歯の排列調整を容易ならしめ、以て歯科医、歯科技工士の作業時間を短縮することができる義歯の製作方法を提供する。【解決手段】咬合床（１１）における床用蝋（１３）に可動軟化蝋により形成した人工歯（１５）を植設することにより蝋義歯を製作した後、該人工歯（１５）を硬質の人工歯と置換するようにしたことを特徴とする義歯の製作方法。可動軟化蝋により形成した前記人工歯（１５）相互間に自在蝋（１９）を介在させる。可動軟化蝋により形成した前記人工歯（１５）を自在蝋の層（２１）を介して前記床用蝋に融着させる。前記可動軟化蝋は、床用蝋と自在蝋とを混合してなるものである。【選択図】図１
2006043230.tif 000002
【特許請求の範囲】
【請求項１】
咬合床における床用蝋に可動軟化蝋により形成した人工歯を植設することにより蝋義歯を製作した後、該人工歯を硬質の人工歯と置換するようにしたことを特徴とする義歯の製作方法。
【請求項２】
可動軟化蝋により形成した前記人工歯相互間に自在蝋を介在させたことを特徴とする請求項１に記載の義歯の製作方法。
【請求項３】
可動軟化蝋により形成した前記人工歯を自在蝋の層を介して前記床用蝋に融着させたことを特徴とする請求項１又は２に記載の義歯の製作方法。
【請求項４】
前記可動軟化蝋は、床用蝋と自在蝋とを混合してなるものであることを特徴とする請求項１〜３のいずれかに記載の義歯の製作方法。
【発明の詳細な説明】
【技術分野】
【０００１】
本発明は、義歯の製作方法に関するものであり、特に、可動軟化蝋により形成した人工歯を用いた義歯の製作方法に係るものである。
【背景技術】
【０００２】
義歯は、一般に下記の如く製作される。
【０００３】
（１）アルジネート等の印象材により、患者の口腔のメス型を形成する。
【０００４】
（２）上記メス型に石膏を注入してオス型の石膏模型１を形成する。石膏模型１の一例を図７に示す。
【０００５】
（３）石膏模型１の上で咬合床２を手で製作する。図８参照。咬合床２は、ポリメチルメタクリレート等のアクリル系樹脂の基礎床３上に硬い蝋の床用蝋（咬合堤）５を歯列弓に対応させて突設形成してなるものである。基礎床３の厚さは、約１ｍｍである。床用蝋５は、人工歯を植設するベースとなるものである。
【０００６】
（４）咬合床２を患者の口腔内に入れて高さを調整し、床用蝋５の表面約１ｍｍを火炎で軟化させて咬合採得する。
【０００７】
（５）咬合床２の床用蝋５に人工歯７を融着して蝋義歯９を製作する（図９参照）。その際、臼歯の高さ、前歯の審美性を調整し、適宜歯肉を形成する。人工歯７は硬い合成樹脂、陶器等により形成される。この蝋義歯９を患者の口腔に嵌めて試適し、必要に応じて人工歯の再排列等の調整を行なう。人工歯７は床用蝋５から極めて外れ易い。人工歯７を移動させる際には、熱したスパチュラ等により床用蝋５を溶かす。なお、特開平８−８０３０６号公報は、合成樹脂製の人工歯を開示している。
【０００８】
（６）蝋義歯９を石膏模型１と共に寒天フラスコに入れ、加圧、加熱して蝋義歯９の蝋をロストワックス法によりポリメチルメタクリレート等のアクリル系樹脂に置き換える。即ち、アクリル系樹脂の義歯が形成される。
【０００９】
（７）寒天フラスコから義歯を取り出し、石膏模型１を義歯から除去する。なお、石膏模型１は寒天フラスコ内で熱により破壊されている。以上により、義歯が形成される。
【特許文献１】特開平８−８０３０６号公報
【発明の開示】
【発明が解決しようとする課題】
【００１０】
しかるに、上記従来の義歯の製作方法においては、次のような問題がある。
【００１１】
（イ）人工歯は硬い合成樹脂、陶器等により形成されているため、人工歯の調整が困難である。
【００１２】
（ロ）咬合床における床用蝋は硬いため、人工歯の位置を調整する際には、該床用蝋を加熱して軟化させる必要がある。従って、試適の際に、患者の口腔内を火傷させるおそれがある。
【００１３】
（ハ）以上の結果、蝋義歯の製作は多大な手間と時間とを必要とする。
【００１４】
本発明は、上記従来の義歯の製作方法における上述の如き問題を解決し、患者の口腔内における人工歯の排列調整を容易ならしめ、以て歯科医、歯科技工士の作業時間を短縮することができる義歯の製作方法を提供しようとしてなされたものである。
【課題を解決するための手段】
【００１５】
上記課題を解決するために、本発明は、下記の如き義歯の製作方法を提供する。
【００１６】
（１）咬合床における床用蝋に可動軟化蝋により形成した人工歯を植設することにより蝋義歯を製作した後、該人工歯を硬質の人工歯と置換するようにしたことを特徴とする義歯の製作方法（請求項１）。
【００１７】
（２）可動軟化蝋により形成した前記人工歯相互間に自在蝋を介在させる（請求項２）。
【００１８】
（３）可動軟化蝋により形成した前記人工歯を自在蝋の層を介して前記床用蝋に融着させる（請求項３）。
【００１９】
（４）前記可動軟化蝋は、床用蝋と自在蝋とを混合してなるものである（請求項４）。
【発明の効果】
【００２０】
［請求項１の発明］
可動軟化蝋により形成した人工歯は、柔らかいため、切削、引き伸ばし等の調整が極めて容易である。また、試適時に、患者に咬合させることにより、該人工歯の上端面に圧痕が形成されるため、該圧痕を人工歯の高さを調整する際の目安にすることができる。更に、可動軟化蝋と床用蝋とのいわば蝋同士の結合により、人工歯の脱落が防止される。
【００２１】
従って、歯科医、歯科技工士の作業が容易になり、作業に要する時間も短縮される。
【００２２】
硬い合成樹脂、陶器等により形成されている人工歯は、削った場合には再使用することができなくなることが多いが、可動軟化蝋により形成した人工歯は何回でも再使用が可能である。
【００２３】
可動軟化蝋により形成した人工歯は安価であり、大量生産も可能である。
【００２４】
［請求項２の発明］
可動軟化蝋により形成した人工歯相互間に自在蝋を介在させたため、各人工歯の可動性が確保され、各人工歯を頬側、口腔側のいずれにも容易に移動させることができる。従って、各人工歯の位置調整が容易である。
【００２５】
［請求項３の発明］
可動軟化蝋により形成した人工歯を自在蝋の層を介して床用蝋に融着させたため、各人工歯の更なる可動性が確保され、各人工歯を頬側、口腔側のいずれにも一層容易に移動させることができる。従って、各人工歯の位置調整が極めて容易である。
【００２６】
［請求項４の発明］
可動軟化蝋は、床用蝋と自在蝋とを混合してなるものであるため、該可動軟化蝋により形成した人工歯は、咬合高径を決めるのに適したものである。
【発明を実施するための最良の形態】
【００２７】
義歯を製作する際には、まず、既製の人工歯に合わせて、上下２８歯の人工歯を、大きさ３種類、歯形態２種類、合計１６８歯を作る。
【００２８】
上下顎１４歯ずつ基本排列を行ない、オス型を作る。
【００２９】
このオス型に基き、シリコン印象材にて、メス型を形成する。
【００３０】
可動軟化蝋を熱により液状化して前記メス型に流し込み、固化したものを取り出すことにより、可動軟化蝋の人工歯の単体が得られる。
【００３１】
人工歯を形成する可動軟化蝋は、一例として、凝固点５８℃、３７℃加圧短縮率４０％、曲がり角度１１９度、破切温度１５℃を有する。
【００３２】
人工歯を形成する可動軟化蝋は、一例として、床用蝋３重量部と自在蝋１重量部とを混合してなるものである。
【００３３】
床用蝋は、一例として、凝固点５９．３℃、３７℃加圧短縮率２８％、曲がり角度５８．５度、破切温度２０℃を有する。
【００３４】
自在蝋は、一例として、凝固点５４℃、３７℃加圧短縮率７６％、曲がり角度３００度、破切温度０℃を有する。
【００３５】
床用蝋と自在蝋とを混合してなる可動軟化蝋は、これを着色して白色蝋と黄色蝋と青色蝋と透明蝋となし、一例として、白色蝋８０重量部と黄色蝋４重量部と青色蝋１重量部と透明蝋１５重量部とを混合して人工歯に適した色の可動軟化蝋を得る。
【００３６】
咬合床１１における床用蝋１３に可動軟化蝋により形成した人工歯１５、１５・・・を植設することにより蝋義歯を製作する。図２における符号１７に示すものは例えば合成樹脂製の基礎床であり、図４における符号２３に示すものは天然歯の歯型である。
【００３７】
可動軟化蝋により形成した人工歯１５、１５・・・相互間には自在蝋１９を介在させることが望ましい。即ち、人工歯１５、１５・・・を自在蝋１９を介して相互に連結させるのである。図５、図３参照。
【００３８】
また、可動軟化蝋により形成した人工歯１５、１５・・・は自在蝋の層２１を介して床用蝋１３に加熱融着させることが望ましい。図６参照。自在蝋の層２１は厚さが約１ｍｍとする。
【００３９】
製作された蝋義歯を患者の口腔内で試適し、必要に応じて人工歯１５、１５・・・の再排列等の調整を行なう。
【００４０】
続いて、可動軟化蝋により形成した人工歯１５、１５・・・を１歯ずつ削除し、各人工歯１５を硬質の合成樹脂、陶器等により形成された人工歯と忠実に置換する。
【００４１】
しかる後、蝋義歯を用いて、ロストワックス法により、義歯を製作する。
【図面の簡単な説明】
【００４２】
【図１】本発明における蝋義歯を示す正面図である。
【図２】本発明における上顎の蝋義歯を示す平面図である。
【図３】本発明における人工歯の歯式を示す参考図である。
【図４】本発明における下顎の蝋義歯を示す平面図である。
【図５】本発明において、人工歯相互間に自在蝋を介在させた状態の一例を示す正面図である。
【図６】本発明において、人工歯を自在蝋の層を介して床用蝋に融着させた状態の一例を示す断面図である。
【図７】石膏模型の一例を示す平面図である。
【図８】咬合床の一例を示す平面図である。
【図９】蝋義歯の一例を示す正面図である。
【符号の説明】
【００４３】
１  石膏模型
２  咬合床
３  基礎床
５  床用蝋
７  人工歯
９  蝋義歯
１１  咬合床
１３  床用蝋
１５  人工歯
１７  基礎床
１９  自在蝋
２１  自在蝋の層
２３  天然歯の歯型
【図１】
2006043230.tif 000003
【図２】
2006043230.tif 000004
【図３】
2006043230.tif 000005
【図４】
2006043230.tif 000006
【図５】
2006043230.tif 000007
【図６】
2006043230.tif 000008
【図７】
2006043230.tif 000009
【図８】
2006043230.tif 000010
【図９】
2006043230.tif 000011